(57)【要約】【課題】ユーザの負担を少なくして記録位置の補正を行うことができる記録装置および記録方法を提供すること。【解決手段】  レンチキュラーレンズＲＬを有する記録媒体Ｐに対して記録を行う記録装置１であって、レンズ要素Ｌの配列方向について位置決めされた状態で載置部に載置される記録媒体Ｐについて、レンズ要素Ｌの配列方向に沿う縁部であって記録位置の基準となる基準縁部Ｅａと所定の基準位置ＨＰとの間の距離情報を取得し、この距離情報に基づき記録媒体Ｐに対する記録位置を補正すること。【選択図】  図６
2010023230.tif 000002
【特許請求の範囲】
【請求項１】
レンチキュラーレンズを有する記録媒体に対して記録を行う記録装置であって、
上記記録媒体の上記レンチキュラーレンズの互いに隣接するレンズ要素とレンズ要素の間に入り上記少なくとも一方のレンズ要素に対して係合することで上記記録媒体をレンズ要素の配列方向について位置決めする位置決め手段を有し、上記記録媒体を載置する載置部と、
上記載置部の所定位置に上記位置決め手段により位置決めされた状態で載置され、実際に記録が行われる上記記録媒体である被記録媒体について、上記レンズ要素の配列方向に沿う縁部であって記録位置の基準となる基準縁部と所定の基準位置との間の距離情報を取得する距離情報取得手段と、
上記距離情報取得手段で求められる上記距離情報に基づき上記被記録媒体に対する記録位置を補正する補正手段と、
上記記録媒体に、上記補正手段によって補正された記録位置に基づいて記録を行う記録手段と、
を有することを特徴とする記録装置。
【請求項２】
記憶手段をさらに有し、
前記補正手段は、上記記憶手段に記憶された基準記録媒体についての情報に基づき補正を行うことを特徴とする請求項１に記載の記録装置。
【請求項３】
前記基準記録媒体が、前記載置部における所定位置に載置されたときにおける前記基準縁部と前記所定の基準位置との間の距離情報と、前記被記録媒体についての距離情報とに基づき、前記基準記録媒体の縁部における前記レンズ要素のレンズ幅と、前記被記録媒体の縁部における前記レンズ要素のレンズ幅との差を求めるレンズ幅差演算手段を有し、
前記補正手段は、上記レンズ幅の差と前記補正量とに基づいて、前記記録媒体に対する記録位置の補正を行うことを特徴とする請求項１または２に記載の記録装置。
【請求項４】
レンチキュラーレンズを有する記録媒体に対して記録を行う記録装置であって、
上記記録媒体の上記レンチキュラーレンズの互いに隣接するレンズ要素とレンズ要素の間に入り上記少なくとも一方のレンズ要素に対して係合することで上記記録媒体をレンズ要素の配列方向について位置決めする位置決め手段を有し、上記記録媒体を載置する載置部と、
上記載置部の所定位置に上記位置決め手段により位置決めされた状態で載置され、実際に記録が行われる上記記録媒体である被記録媒体について、上記レンズ要素の配列方向に沿う縁部であって記録位置の基準となる基準縁部と所定の基準位置との間の距離情報を取得する距離情報取得手段と、
上記記録媒体であって、上記基準縁部における上記レンズ要素のレンズ幅が既知である基準記録媒体が、上記載置部における上記所定位置に載置されたときにおける上記基準縁部と上記所定の基準位置との間の距離情報と、上記被記録媒体についての距離情報とに基づき、上記被記録媒体の縁部における上記レンズ要素の欠損幅を求める欠損幅演算手段とを有し、
上記欠損幅演算手段で求められる上記欠損幅に基づき上記被記録媒体に対する記録位置を補正することを特徴とする記録装置。
【請求項５】
前記載置部は、前記被記録媒体を前記所定位置に載置させるための目印を有していることを特徴とする請求項１または４のいずれか１項
に記載の記録装置。
【請求項６】
前記位置決め手段は、前記記録媒体のレンチキュラーレンズと同一部材からなることを特徴とする請求項１から５のいずれか１項に記載の記録装置。
【請求項７】
レンチキュラーレンズを有する記録媒体の上記レンチキュラーレンズの互いに隣接するレンズ要素とレンズ要素の間に入り、上記少なくとも一方のレンズ要素に対して係合することで上記記録媒体をレンズ要素の配列方向について位置決めする位置決め手段を有し、上記記録媒体が載置される載置部に載置された上記記録媒体に記録を行う記録方法において、
上記載置部の所定位置に上記位置決め手段により位置決めされた状態で載置され、実際に記録が行われる上記記録媒体である被記録媒体について、上記レンズ要素の配列方向に沿う縁部であって記録位置の基準となる基準縁部と所定の基準位置との間の距離情報を取得する距離情報取得処理と、
上記距離情報取得処理により求められる上記距離情報に基づき上記被記録媒体に対する記録位置を補正する補正処理と、
上記記録媒体に、上記補正手段によって補正された記録位置に基づいて記録を行う記録処理と、
を有することを特徴とする記録方法。
【発明の詳細な説明】
【技術分野】
【０００１】
本発明は、レンチキュラーレンズを有する記録媒体に対して記録を行うことができる記録装置および記録方法に関する。
【背景技術】
【０００２】
記録層に重ねて半円筒形のレンズ要素が複数並行に配列されて構成されるレンチキュラーレンズを有し、記録層に記録された画像をレンチキュラーレンズを介して見ることで、立体画像あるいは見る角度によって見える画像の形態が変わる変り絵画像を見ることができる記録媒体が従来から知られている。かかる記録媒体に記録された画像を、所定の立体画像あるいは変り絵画像として見ることができるようにするためには、記録層への記録位置をレンチキュラーレンズのレンズ要素の配列に対応させて行う必要がある。
【０００３】
レンチキュラーレンズのレンズ要素の配列と画像の記録位置の位置合せは次のようにして行われる。レンチキュラーレンズの各レンズ要素の幅と配列ピッチは同一であり、これらは予め既知となっている。したがって、記録媒体の縁部を基準にして縁部からの距離に基づいて、既知となっているレンズ要素の配列に合わせた所定の位置に画像を記録するように記録位置の制御が行われる。
【０００４】
一方、レンチキュラーレンズあるいは記録媒体は、大判のシートから所望のサイズのものを裁断して製造されることがある。そのため、記録媒体の縁部に位置するレンズ要素の形状は、裁断位置が記録媒体毎、あるいは製造ロット毎に異なることがある。
【０００５】
例えば、裁断位置がレンズ要素とレンズ要素の間の谷間であるときは、縁部に位置するレンズ要素は半円筒形となる。これに対して、レンズ要素の途中で裁断された場合には、縁部に位置するレンズ要素は半円筒形とならない。したがって、記録媒体の縁部を基準にして記録位置の制御を行う場合には、縁部に位置するレンズ要素の形状、すなわち、レンズ要素の幅により記録される画像とレンズ要素との位置関係が変わってしまう。
【０００６】
そのため、記録媒体への記録を行うに当っては、記録媒体の縁部に位置するレンズ要素の幅に応じて、レンチキュラーレンズのレンズ要素の配列に対応するように画像の記録位置の調整を行う必要がある。係る調整を行う手段として、例えば、特許文献１には、レンチキュラープリント媒体の余白部分に、位置ずれ検出用のパターンを、レンチキュラーレンズの配列方向にずらし量を変えながら複数印刷し、この印刷された複数のパターンの中からユーザが最適位置を判断し、この最適位置に基づいてレンチキュラープリント媒体への記録位置を補正する手段が開示されている。
【０００７】
【特許文献１】特許第３４７１９３０号
【発明の開示】
【発明が解決しようとする課題】
【０００８】
しかしながら、特許文献１の手段による場合は、複数のパターンの中から最適位置に記録されたものをユーザが判断する必要があり、ユーザの労力が大きなものとなるという問題がある。
【０００９】
そこで、本発明は、ユーザの負担を少なくして記録位置の補正を行うことができる記録装置および記録方法を提供することを目的とする。
【課題を解決するための手段】
【００１０】
上記課題を解決するために、本発明は、レンチキュラーレンズを有する記録媒体に対して記録を行う記録装置であって、記録媒体のレンチキュラーレンズの互いに隣接するレンズ要素とレンズ要素の間に入り少なくとも一方のレンズ要素に対して係合することで記録媒体をレンズ要素の配列方向について位置決めする位置決め手段を有し、記録媒体を載置する載置部と、載置部の所定位置に位置決め手段により位置決めされた状態で載置され、実際に記録が行われる記録媒体である被記録媒体について、レンズ要素の配列方向に沿う縁部であって記録位置の基準となる基準縁部と所定の基準位置との間の距離情報を取得する距離情報取得手段と、距離情報取得手段で求められる距離情報に基づき被記録媒体に対する記録位置を補正する補正手段と、記録媒体に、補正手段によって補正された記録位置に基づいて記録を行う記録手段と、を有することとする。
【００１１】
このように記録装置を構成することで、ユーザの負担を少なくして記録位置の補正を行うことができる
【００１２】
また、他の発明は、上述の発明に加えて、記憶手段をさらに有し、補正手段は、記憶手段に記憶された基準記録媒体についての情報に基づき補正を行うこととする。
【００１３】
このように記録装置を構成することで、記録位置の補正を容易に行うことができる。
【００１４】
また、他の発明は、上述の発明に加えて、基準記録媒体が、載置部における所定位置に載置されたときにおける基準縁部と所定の基準位置との間の距離情報と、被記録媒体についての距離情報とに基づき、基準記録媒体の縁部におけるレンズ要素のレンズ幅と、被記録媒体の縁部におけるレンズ要素のレンズ幅との差を求めるレンズ幅差演算手段を有し、補正手段は、レンズ幅の差と補正量とに基づいて、記録媒体に対する記録位置の補正を行うこととする。
【００１５】
このように記録装置を構成することで、記録位置の補正を容易に行うことができる。
【００１６】
上記課題を解決するために、本発明は、レンチキュラーレンズを有する記録媒体に対して記録を行う記録装置であって、記録媒体の上記レンチキュラーレンズの互いに隣接するレンズ要素とレンズ要素の間に入り少なくとも一方のレンズ要素に対して係合することで記録媒体をレンズ要素の配列方向について位置決めする位置決め手段を有し、記録媒体を載置する載置部と、載置部の所定位置に位置決め手段により位置決めされた状態で載置され、実際に記録が行われる記録媒体である被記録媒体について、レンズ要素の配列方向に沿う縁部であって記録位置の基準となる基準縁部と所定の基準位置との間の距離情報を取得する距離情報取得手段と、記録媒体であって、基準縁部におけるレンズ要素のレンズ幅が既知である基準記録媒体が、載置部における所定位置に載置されたときにおける基準縁部と所定の基準位置との間の距離情報と、被記録媒体についての距離情報とに基づき、被記録媒体の縁部におけるレンズ要素の欠損幅を求める欠損幅演算手段とを有し、欠損幅演算手段で求められる欠損幅に基づき被記録媒体に対する記録位置を補正することとする。
【００１７】
このように記録装置を構成することで、ユーザの負担を少なくして記録位置の補正を行うことができる
【００１８】
また、他の発明は、上述の発明に加えて、載置部は、被記録媒体を所定位置に載置させるための目印を有していることとする。
【００１９】
このように記録装置を構成することで、被記録媒体を容易に所定位置に載置することができる。
【００２０】
また、他の発明は、上述の発明に加えて、位置決め手段は、記録媒体のレンチキュラーレンズと同一部材からなることとする。
【００２１】
このように記録装置を構成することで、位置決め手段を容易に設けることができ、かつ、位置決め精度を高いものとすることができる。
【００２２】
上記課題を解決するために、本発明は、レンチキュラーレンズを有する記録媒体のレンチキュラーレンズの互いに隣接するレンズ要素とレンズ要素の間に入り、少なくとも一方のレンズ要素に対して係合することで記録媒体をレンズ要素の配列方向について位置決めする位置決め手段を有し、記録媒体が載置される載置部に載置された記録媒体に記録を行う記録方法において、載置部の所定位置に位置決め手段により位置決めされた状態で載置され、実際に記録が行われる記録媒体である被記録媒体について、レンズ要素の配列方向に沿う縁部であって記録位置の基準となる基準縁部と所定の基準位置との間の距離情報を取得する距離情報取得処理と、距離情報取得処理により求められる距離情報に基づき被記録媒体に対する記録位置を補正する補正処理と、記録媒体に、補正手段によって補正された記録位置に基づいて記録を行う記録処理と、を有することとする。
【００２３】
このように記録方法を構成することで、ユーザの負担を少なくして記録位置の補正を行うことができる
【発明を実施するための最良の形態】
【００２４】
（実施の形態）
以下に、本発明の実施の形態に係る記録装置であるインクジェットプリンタ（以下、単にプリンタと言う。）１について、図１から図７を参照しながら説明する。また、記録方法については、プリンタ１の動作にあわせて説明を行う。
【００２５】
（プリンタ１の全体構成）
図１は、プリンタ１の全体的な構成を概略的に示している斜視図である。このプリンタ１は、後述するように、レンチキュラーレンズＲＬを有する記録媒体Ｐに対して記録可能な構成となっている。図２は、図１に示すプリンタ１の電気的な構成を概略的に示す回路ブロック図である。なお、図１において、Ｘ方向を前方（前側）、その反対側を後方（後側）、また、Ｙ方向を左方（左側）とし、Ｚ方向を上方（上側）として以下の説明を行うこととする。
【００２６】
プリンタ１が記録対象とする記録媒体Ｐは、記録層Ｋに重ねて半円筒形のレンズ要素Ｌが複数並行に配列されて構成されるレンチキュラーレンズＲＬを有し、記録層Ｋに形成された画像を、レンチキュラーレンズＲＬを介して視認することができるように構成されている。各レンズ要素Ｌの左右方向の幅（レンズ幅）は同一であり、一定の配列ピッチとなっている。したがって、レンチキュラーレンズＲＬのレンズ要素Ｌのレンズ幅および配列ピッチ（以下、レンチキュラーレンズＲＬのレンズ要素Ｌのレンズ幅および配列ピッチを総称して、レンチキュラーレンズＲＬの配列ピッチ等と言う。）に対応させて視差のある画像を記録層Ｋに記録し、この画像をレンチキュラーレンズＲＬの側から観察すると、立体感のある画像として、あるいは見る角度によって異なる画像として観察することができる。なお、記録媒体Ｐは記録層Ｋを形成することなく、レンチキュラーレンズＲＬのレンズ要素Ｌの凸面側と反対側の面に直接記録を行う構成のものとしてもよい。
【００２７】
図１において、プリンタ１は、記録媒体Ｐが載置される（載せ置かれる）載置部としてのガイドトレイ２と、このガイドトレイ２の上面に設けられる位置決め手段としての凸条部３と、ガイドトレイ２に載置された記録媒体Ｐを前方に搬送する搬送ローラ５と、この搬送ローラ５により搬送される記録媒体Ｐに対し記録を行なう不図示の記録ヘッド６(図２参照)と、この記録ヘッド６を左右方向に移動する往復移動機構７と、記録ヘッド６の左右方向における移動位置を検出するためのエンコーダ８等を有する。
【００２８】
搬送ローラ５は、搬送ローラモータ９により回転させられ、搬送ローラモータ９は搬送ローラモータドライバ１０（図２参照）により駆動される。記録ヘッド６は、例えば、インクを吐出するインクヘッドとして構成され、記録ヘッドドライバ２２（図２参照）により駆動される。往復移動機構７は、記録ヘッド６を支持するキャリッジ１１と、このキャリッジ１１を左右方向にガイドするガイド軸１２と、キャリッジモータ１３により駆動されるタイミングベルト１４等を有している。記録ヘッド６は、キャリッジ１１の下面に取り付けられている。
【００２９】
キャリッジ１１は、タイミングベルト１４に取り付けられている。タイミングベルト１４がキャリッジモータ１３により左右方向に回転させられると、ガイド軸１２に沿ってキャリッジ１１の左右方向への移動と一体に記録ヘッド６も左右方向に移動する。キャリッジモータ１３は、キャリッジモータドライバ１５（図２参照）により駆動される。
【００３０】
エンコーダ８は、光学式のエンコーダであり、ガイド軸１２に平行に配列されるリニアスケール１６と、キャリッジ１１に取り付けられリニアスケール１６を読み取るためのエンコーダ１７（図２参照）を有している。エンコーダ１７は、リニアスケール１６を挟んで投光部（図示省略）と光センサ（図示省略）を有していて、キャリッジ１１が移動すると、投光部から投光される光がリニアスケール１６により通過および遮光される。つまり、エンコーダ１７の光センサからは、投光された光の遮光と通過に対応したＨｉ−Ｌｏｗのパルス信号であるエンコーダ信号が出力される。エンコーダ８は、このエンコーダ信号のパルスを計数することで、キャリッジ１１の移動距離を測定することができるように構成されている。プリンタ１においては、リニアスケール１６の左端に所定の基準位置としてのホームポジションＨＰが設定されている。したがって、キャリッジ１１の位置は、ホームポジションＨＰから距離、すなわちパルス数として検出することができる。
【００３１】
キャリッジ１１の下面には、記録ヘッド６に並んで記録媒体検出センサ１８が取り付けられている。記録媒体検出センサ１８は、投光部（図示省略）と光センサ（図示省略）を有し、投光部から照射された光が記録媒体Ｐから反射されるか否かを光センサで検出することにより、投光部の光の投射域に記録媒体Ｐが存在するか否かを検出することができる構成となっている。
【００３２】
記録媒体Ｐへの記録に当っては、記録媒体Ｐは、レンチキュラーレンズＲＬの側を下側に向けてガイドトレイ２に載置される。ガイドトレイ２に設けられる凸条部３は、記録媒体Ｐに設けられるレンチキュラーレンズＲＬと同一形状、同一ピッチに構成されている。また、凸面側を上方に向けて設けられている。したがって、記録媒体Ｐをガイドトレイ２の上に載置すると、記録媒体ＰのレンチキュラーレンズＲＬの互いに隣接するするレンズ要素Ｌとレンズ要素Ｌとの間に凸条部３の凸部の一部が入り、凸条部３がレンズ要素Ｌに対して、左右方向、すなわち、レンズ要素Ｌの配列方向に対して係合する。これにより、記録媒体Ｐは、レンズ要素Ｌの配列方向について位置決めされた状態でガイドトレイ２に載置されることになる。
【００３３】
なお、プリンタ１には、搬送される記録媒体Ｐに対して下方に向けて押圧力を付与する押さえローラ１９が備えられている。押さえローラ１９により記録媒体Ｐをガイドトレイ２の側に押圧することで、レンズ要素Ｌと凸条部３との係合が外れ難いものとなり、凸条部３による記録媒体Ｐの位置決めが確実なものとされている。また、凸条部３は、記録媒体Ｐが載置される領域よりも広い範囲に亘って設けられ、ガイドトレイ２に記録媒体Ｐを載置したときには、記録媒体Ｐの全レンズ要素Ｌが凸条部３に対して係合し、記録媒体Ｐの位置決めがより確実なものとなっている。
【００３４】
本実施の形態では、凸条部３は、記録媒体ＰをレンチキュラーレンズＲＬの凸側を上側に向けてガイドトレイ２の上面に接着することで構成している。このようにして凸条部３を設けることで、記録媒体Ｐの位置決め手段を容易に設けることができる。また、凸条部３を記録媒体Ｐとすることで、凸条部３の形状と記録媒体ＰのレンチキュラーレンズＲＬの形状との同一性を極めて高いものとすることができるので、記録媒体Ｐの位置決め精度の向上を図ることができる。
【００３５】
次に、図２を参照しながら図１に示すプリンタ１の電気的な構成の概略を説明する。
【００３６】
図２において、プリンタ１は、ホストコンピュータＨＣから入力された画像形成データ等を受け取るインターフェース２０と制御部２１と、往復移動機構７のキャリッジモータ１３と、このキャリッジモータ１３を駆動するキャリッジモータドライバ１５と、搬送ローラモータ９と、この搬送ローラモータ９を駆動する搬送ローラモータドライバ１０と、記録ヘッド６と、この記録ヘッド６を駆動する記録ヘッドドライバ２２と、エンコーダ８のエンコーダ１７と、記録媒体検出センサ１８と、操作パネル２３等を有する。
【００３７】
制御部２１は、ホストコンピュータＨＣから送られる画像形成データ等に基づいて記録ヘッド６のインクの吐出制御、キャリッジモータ１３の駆動制御、搬送ローラモータ９の駆動制御、さらに、後述する記録媒体Ｐの基準縁部におけるレンズ要素Ｌの欠損幅の演算と、この欠損幅に基づき記録位置の補正等の実行制御を司るＣＰＵ（Ｃｅｎｔｒａｌ  Ｐｒｏｃｅｓｓｉｎｇ  Ｕｎｉｔ）２４と、プリンタ１を制御するための各種のプログラムや諸データ等が記憶されているＰＲＯＭ（Ｐｒｏｇｒａｍｍａｂｌｅ  Ｒｅａｄ−Ｏｎｌｙ  Ｍｅｍｏｒｙ）２５と、作業用のメモリであるＲＡＭ（Ｒａｎｄｏｍ  Ａｃｃｅｓｓ  Ｍｅｍｏｒｙ）２６と、ホストコンピュータＨＣからインターフェース２０を介して入力される画像形成データを格納するＥＥＰＲＯＭ（Ｅｌｅｃｔｒｉｃａｌｌｙ  Ｅｒａｓａｂｌｅ  
Ｐｒｏｇｒａｍｍａｂｌｅ  Ｒｅａｄ  Ｏｎｌｙ  Ｍｅｍｏｒｙ）２７と、等を有する。
【００３８】
（プリンタ１の記録動作）
次に、プリンタ１の記録媒体Ｐに対する記録動作について簡単に説明する。
【００３９】
プリンタ１においては、ガイドトレイ２上に記録媒体Ｐが載置された状態で、操作パネル２３に設定される図示を省略する記録開始ボタンを操作することで、記録動作が開始される。つまり、記録開始ボタンが操作されると、記録媒体Ｐが、搬送ローラ５により後方から前方に向かってガイドトレイ２上を搬送され、この搬送に併せてキャリッジ１１が左右方向に往復移動しながら記録ヘッド６から所定位置にインクの吐出が行われ、記録層Ｋに画像が記録される。
【００４０】
記録媒体Ｐの搬送は、ＣＰＵ２４による駆動制御により搬送ローラモータ９により行われる。搬送ローラモータ９は、記録媒体Ｐを、所定量の移動と所定時間の停止とを繰り返しながら前方に搬送する。なお、記録媒体Ｐは、レンチキュラーレンズＲＬの側を下側に向けてガイドトレイ２上に載置される。そのため、記録媒体Ｐのレンズ要素Ｌと凸条部３とは左右方向に対して互いに係合し、記録媒体Ｐは、ガイドトレイ２に対して左右方向について位置決めされた状態で搬送される。
【００４１】
また、ＣＰＵ２４は、キャリッジモータ１３を駆動制御し、キャリッジ１１を左右方向に往復移動する。記録ヘッド６はキャリッジ１１に取り付けられているため、キャリッジ１１と共に往復移動する。記録媒体Ｐの搬送が停止している間に、キャリッジ１１を記録媒体Ｐの右側から左側に移動させ、キャリッジ１１の右側から左側へ移動する際に記録ヘッド６からインクを吐出することで記録媒体Ｐに対する画像の記録が行われる。
【００４２】
上述したように、レンチキュラーレンズＲＬを有する記録媒体Ｐへの記録は、レンチキュラーレンズＲＬの配列ピッチ等に記録位置を合わせる必要がある。そこで、記録媒体検出センサ１８により、記録媒体Ｐのレンズ要素Ｌの線条方向に沿った縁部であって、キャリッジ１１の移動距離の基準となる基準縁部の検出を行い、この基準縁部を基準にしてキャリッジ１１の記録媒体Ｐに対する位置をエンコーダ８により検出する。本実施の形態に係るプリンタ１においては、記録媒体Ｐの右側の縁部Ｅａを基準縁部としている。ＣＰＵ２４は、キャリッジ１１の縁部Ｅａからの距離をエンコーダ８により測定することで、レンチキュラーレンズＲＬの配列ピッチ等に応じた記録位置にインクを吐出するように記録ヘッド６のインク吐出位置を制御する。
【００４３】
レンチキュラーレンズＲＬのレンズ要素Ｌのレンズ幅および配列ピッチについては予めＰＲＯＭ２５に記憶されている。ＣＰＵ２４は、エンコーダ８から得られる縁部Ｅａからの距離とＰＲＯＭ２５に記憶されているレンチキュラーレンズＲＬの配列ピッチ等に基づいて、インクの吐出位置がレンチキュラーレンズＲＬの配列ピッチ等に対し所定位置となるように記録ヘッド６の駆動を制御する。
【００４４】
ところで、記録媒体Ｐは、大判の記録媒体から裁断等により、例えば、Ａ４サイズやＢ５サイズ等の所望のサイズのものとして製造されることがある。このように大判の記録媒体から所望のサイズの記録媒体Ｐを裁断する際に、レンズ要素Ｌの裁断される位置が、裁断毎に異なることがある。例えば、ある裁断においては、隣接するレンズ要素の間の谷間で丁度裁断され、記録媒体Ｐの縁部Ｅａに位置するレンズ要素Ｌは半円筒形を呈する。これに対し、他の裁断においては、裁断部がレンズ要素Ｌの円弧面の途中位置となり、記録媒体Ｐの縁部Ｅａに位置するレンズ要素Ｌは、半円筒形に対して欠損した形状となることがある。
【００４５】
そのため、記録媒体Ｐの縁部Ｅａからの距離に基づいて記録を行う場合に、縁部Ｅａに位置するレンズ要素Ｌの欠損幅が判らないと、記録画像の記録位置をレンチキュラーレンズＲＬの配列等に対応させることができない。例えば、記録媒体Ｐの縁部Ｅａにおけるレンズ要素Ｌに欠損があるにも拘わらず、記録媒体Ｐの縁部Ｅａにおけるレンズ要素Ｌが半円筒形であることを前提に記録が行われてしまう場合は、レンズ要素Ｌが欠損している幅（欠損幅）だけ、レンズ要素Ｌに対する記録位置がずれ、レンチキュラーレンズＲＬの配列等に記録位置を合わせることができない。
【００４６】
そこで、本実施の形態では、記録動作に先立ち、以下に説明するように、これから記録を行おうとする記録媒体Ｐの縁部Ｅａにおけるレンズ要素Ｌの欠損幅を測定し、この測定された欠損幅に基づいて記録位置を制御することとしている。
【００４７】
（基準の設定）
最初に、欠損幅の測定のための基準の設定について説明する。
【００４８】
これから記録を行おうとする記録媒体Ｐの縁部Ｅａにおけるレンズ要素Ｌの欠損幅の測定に当っては、先ず、縁部におけるレンズ要素Ｌの欠損幅が判っている記録媒体Ｐである基準記録媒体Ｐｂを準備する。そして、図３の（ａ）から（ｄ）に示すように、基準記録媒体Ｐｂの欠損幅が判っているレンズ要素Ｌが位置する縁部Ｅｂの位置を、ガイドトレイ２の所定範囲２８内の一方の側から他方の側に、凸条部３の凸条に対して１条ずつずらして基準記録媒体Ｐを載置する。図３の（ａ）から（ｄ）に示す基準記録媒体Ｐｂの載置位置をそれぞれＱ０，Ｑ１，Ｑ２，Ｑ３とする。そして、各位置に載置されたときの縁部ＥｂのホームポジションＨＰからの距離を測定する。図３の（ａ）から（ｄ）は、縁部Ｅｂが所定範囲２８に位置するようにガイドトレイ２上に基準記録媒体Ｐが載置されたときの、所定範囲２８の部分を後方から見たときの拡大図である。ここで、Ｑ０からＱ３は、プリンタ１の構造上、記録媒体Ｐの搬送中にプリンタ１の部品と接触しないなど、記録媒体Ｐを載置可能な範囲とする。
【００４９】
縁部ＥｂのホームポジションＨＰからの距離の測定は、距離情報取得手段として構成される記録媒体検出センサ１８とエンコーダ８により行う。つまり、記録媒体検出センサ１８により縁部Ｅｂの検出を行い、縁部ＥｂのホームポジションＨＰから距離をエンコーダ８の計数値として測定する。例えば、ここでは、縁部Ｅｂに位置するレンズ要素Ｌの幅がＭとして予め判っている（既知である）記録媒体Ｐを基準記録媒体Ｐｂとして用い、縁部Ｅｂが所定範囲２８内の一方の側から他方の側に凸条部３との係合を１条ずつずらしながら、各載置位置（載置位置Ｑ０，Ｑ１，Ｑ２，Ｑ３）毎に、ホームポジションＨＰから縁部Ｅｂまで距離をエンコーダ８の計数値として測定する。
【００５０】
なお、エンコーダ８は、キャリッジ１１がホームポジションＨＰから離れるに従って、すなわち、ホームポジションＨＰから右方に移動するに従って、エンコーダ８の計数値が増加するように構成されている。
【００５１】
図３の（ａ）から（ｄ）に示す基準記録媒体Ｐｂの各載置位置Ｑ０，Ｑ１，Ｑ２，Ｑ３における縁部ＥｂのホームポジションＨＰからの距離は、例えば、図４に示す表１のように測定される。そして、上述の表１の内容、すなわち、基準記録媒体Ｐｂの載置位置と、各載置位置毎の縁部ＥｂについてのホームポジションＨＰからの距離とを基準距離情報として記録手段としてのＥＥＰＲＯＭ２５に記憶する。
【００５２】
なお、凸条部３は、一定ピッチで凸条が形成され、載置位置Ｑ０，Ｑ１，Ｑ２，Ｑ３は、基準記録媒体Ｐの載置位置を右側から左側に凸条を１条ずつずらしながら載置したときの値であるため、隣り合う載置位置同士のエンコーダ８の計数値の差分、すなわちＸ１−Ｘ２、Ｘ２−Ｘ３、Ｘ３−Ｘ４は一定の値である。この差分は、凸条部３の凸条の配列ピッチおよび各凸条の幅と同一である。また、凸条部３と基準記録媒体ＰｂのレンチキュラーレンズＲＬとは同一ピッチであるため、上述の差分は、レンチキュラーレンズＲＬの配列ピッチ等とも同一である。なお、なお、Ｘ１−Ｘ２、Ｘ２−Ｘ３、Ｘ３−Ｘ４は、レンチキュラーレンズＲＬの配列ピッチ等とエンコーダ８のパルス幅との関係から、必ずしも一定の値にならない場合もある。
【００５３】
表１の内容の測定は、エンドユーザが、上述のようにプリンタ１を用いて行うこととしても良いが、プリンタ１の製造段階等において、プリンタ１のサプライヤが実行し、プリンタ１のＰＲＯＭ２５に測定結果、すなわち、表１の内容を予め記憶しておくことでユーザへ負担を減らすことができ好ましい。
【００５４】
（欠損幅の測定）
次に、被記録媒体の欠損幅の測定について説明する。
【００５５】
続いて、図５に示すように、記録の実行に先立ち、これから記録を行おうとする記録媒体Ｐ（以下、被記録媒体Ｐａと言う。）を、記録位置の基準となる側の縁部Ｅａがガイドトレイ２の所定範囲２８に位置するように、ガイドトレイ２に載置する。そして、ガイドトレイ２に載置された被記録媒体Ｐａの縁部ＥａのホームポジションＨＰからの距離を測定する。被記録媒体Ｐａは縁部Ｅａが所定範囲２８内に位置するようにガイドトレイ２上に載置されるので、図５の（ａ）から（ｄ）に示す何れかの位置に載置される。図５の（ａ）から（ｄ）は、縁部Ｅａが所定範囲２８に位置するようにガイドトレイ２上に被記録媒体Ｐａが載置されたときの、所定範囲２８の部分を後方から見たときの拡大図である。
【００５６】
「図５の（ａ）から（ｄ）に示すように、縁部Ｅａが所定範囲２８に位置するようにガイドトレイ２上に載置された被記録媒体Ｐａの縁部ＥａのホームポジションＨＰからの距離と、縁部Ｅｂが所定範囲２８に位置するようにガイドトレイ２上に載置された基準記録媒体Ｐｂの縁部ＥｂのホームポジションＨＰからの距離とを比較すると次のようになる。つまり、被記録媒体Ｐａの縁部Ｅａにおけるレンズ要素Ｌの幅が、基準記録媒体Ｐｂの縁部Ｅｂにおけるレンズ要素Ｌの幅よりも大きい場合には、被記録媒体Ｐａの縁部ＥａのホームポジションＨＰからの距離は、Ｘ１以上、Ｘ１からＸ２の間、Ｘ２からＸ３の間、Ｘ３からＸ４の間の何れかの範囲内に位置する。一方、被記録媒体Ｐａの縁部Ｅａにおけるレンズ要素Ｌの幅が、基準記録媒体Ｐｂの縁部Ｅｂにおけるレンズ要素Ｌの幅よりも小さい場合には、被記録媒体Ｐａの縁部ＥａのホームポジションＨＰからの距離は、Ｘ１からＸ２の間、Ｘ２からＸ３の間、Ｘ３からＸ４の間、Ｘ４以下の間の何れかの範囲内に位置する。なお、被記録媒体Ｐａは、縁部Ｅａが所定範囲２８に位置するようにガイドトレイ２上に載置されるので、縁部ＥａのホームポジションＨＰからの距離がＸ１以上またはＸ４以下となっても所定範囲２８から外れた距離となることはない。ところで、基準記録媒体Ｐｂにおけるレンズ要素Ｌの幅は既知であり、例えば、プリンタ１のＰＲＯＭ２５に予め記憶されている。そこで、被記録媒体Ｐａと基準記録媒体Ｐｂとが、縁部Ｅａおよび縁部Ｅｂの内側に位置する欠損のないレンズ要素Ｌのガイドトレイ２上での位置が同一となる所定位置に載置されているときの、被記録媒体Ｐａについての測定距離（Ｙ１，Ｙ２，Ｙ３，Ｙ４のうちのいずれかになる）と基準記録媒体Ｐｂの縁部Ｅｂの測定距離（Ｘ１，Ｘ２，Ｘ３，Ｘ４）との差分を求め、この差分に基づいて、被記録媒体Ｐａのレンズ要素Ｌの欠損幅を知ることができる。」
【００５７】
つまり、図６に示すように、被記録媒体Ｐａと基準記録媒体Ｐｂとがガイドトレイ２の所定位置（被記録媒体Ｐａと基準記録媒体Ｐｂとが、縁部Ｅａおよび縁部Ｅｂの内側に位置する欠損のないレンズ要素Ｌのガイドトレイ２上での位置が同一となる載置位置）に載置された状態における、被記録媒体Ｐａの縁部Ｅａと基準記録媒体Ｐｂの縁部ＥｂとのホームポジションＨＰからの距離差、すなわち、Ｙ１−Ｘ１は、基準記録媒体Ｐｂの縁部Ｅｂに位置するレンズ要素Ｌの幅Ｍと、被記録媒体Ｐａの縁部Ｅａに位置するレンズ要素Ｌの幅Ｎとの差分に等しい。測定距離がＸ１である基準記録媒体Ｐｂの縁部Ｅｂに位置するレンズ要素Ｌの幅（Ｍ）は既知であるので、この既知のレンズ幅Ｍに差分（Ｙ１−Ｘ１）を加算した値は、被記録媒体Ｐａの縁部Ｅａに位置するレンズ要素Ｌのレンズ幅Ｎとなる。レンズ要素Ｌに欠損が無いときのレンズ幅は既知であるので、既知の（レンズ要素Ｌに欠損が無い）レンズ幅から欠損を有するレンズ要素Ｌのレンズ幅Ｎを引いた値が被記録媒体Ｐａの縁部Ｅａに位置するレンズ要素Ｌの欠損幅として求まる。なお、基準記録媒体Ｐｂの縁部Ｅｂがレンズ要素Ｌとレンズ要素Ｌの谷間で裁断され、縁部Ｅｂにおけるレンズ要素Ｌに欠損がない場合には、基準記録媒体Ｐｂの縁部Ｅｂに位置するレンズ要素Ｌの幅Ｍは０として計算を行う。
【００５８】
そして、プリンタ１において被記録媒体Ｐａに記録を行う場合には、欠損幅に基づき記録位置を補正して記録を行う。このように記録を行うことで、レンチキュラーレンズＲＬの配列に画像の位置を合わせることができる。
【００５９】
プリンタ１においては、欠損幅演算手段としてのＣＰＵ２４は、図７に示すフローチャートに示す処理を行うことで欠損幅を求める。
【００６０】
先ず、被記録媒体Ｐａの縁部Ｅａが所定範囲２８に位置するように被記録媒体Ｐａをガイドトレイ２に載置させた状態で、キャリッジ１１をホームポジションＨＰから右方に向かって移動させ、距離情報取得手段として機能する記録媒体検出センサ１８およびエンコーダ８を利用して、縁部ＥａのホームポジションＨＰからの距離をエンコーダ値として測定する（ステップＳ１０）。
【００６１】
続いて、被記録媒体Ｐａの載置位置が、基準記録媒体Ｐｂの載置位置Ｑ０，Ｑ１，Ｑ２，Ｑ３のいずれと同一であるかを判断する（ステップ２０）。この判断は、次のようにして行うことができる。
【００６２】
先ず、基準記録媒体Ｐｂの縁部Ｅｂの測定距離（Ｘ１，Ｘ２，Ｘ３，Ｘ４）の値から基準記録媒体Ｐｂの縁部Ｅｂに位置するレンズ要素Ｌの既知のレンズ幅Ｍを引いた値（Ｘ１−Ｍ，Ｘ２−Ｍ，Ｘ３−Ｍ，Ｘ４−Ｍ）を求める。これらの値（Ｘ１−Ｍ，Ｘ２−Ｍ，Ｘ３−Ｍ，Ｘ４−Ｍ）は、基準記録媒体Ｐｂの縁部Ｅｂに位置する欠損のあるレンズ要素Ｌとこのレンズ要素Ｌに隣接する欠損の無いレンズ要素Ｌとの間の谷間の位置とホームポジションＨＰとの距離（エンコーダ値）に等しい。続いて、被記録媒体Ｐａの縁部Ｅａの測定距離（Ｙ１，Ｙ２，Ｙ３，Ｙ４）を、上述の値（Ｘ１−Ｍ，Ｘ２−Ｍ，Ｘ３−Ｍ，Ｘ４−Ｍ）と比較し、これら値（Ｘ１−Ｍ，Ｘ２−Ｍ，Ｘ３−Ｍ，Ｘ４−Ｍ）の中で、測定距離（Ｙ１，Ｙ２，Ｙ３，Ｙ４）よりも小さな値であって、測定距離（Ｙ１，Ｙ２，Ｙ３，Ｙ４）に一番近い値を特定する。この特定された値（Ｘ１−Ｍ，Ｘ２−Ｍ，Ｘ３−Ｍ，Ｘ４−Ｍの何れかの値）は、載置位置Ｑ０，Ｑ１，Ｑ２，Ｑ３の何れかに対応している値である。したがって、被記録媒体Ｐａの載置位置は、上述の特定された値（Ｘ１−Ｍ，Ｘ２−Ｍ，Ｘ３−Ｍ，Ｘ４−Ｍの何れかの値）に対応する載置位置Ｑ０，Ｑ１，Ｑ２，Ｑ３と同一であると判断できる。上述のようにして、被記録媒体Ｐａと基準記録媒体Ｐｂとが、縁部Ｅａおよび縁部Ｅｂの内側に位置する欠損のないレンズ要素Ｌのガイドトレイ２上での位置が同一となる所定位置を知ることができる。
【００６３】
ところで、基準記録媒体Ｐｂの縁部Ｅｂの測定距離についての情報は、基準記録媒体Ｐｂが所定範囲２８の内側に載置されたときのものとなっている。したがって、被記録媒体Ｐａについても所定範囲２８の内側に載置する必要がある。そこで、本実施の形態においては、所定範囲２８に対応するレンズ要素Ｌについて着色を施すことで、縁部Ｅａを所定範囲２８の内側に容易に位置させて被記録媒体Ｐａをガイドトレイ２に載置できるように構成されている。つまり、所定範囲２８は被記録媒体Ｅａを所定位置に載置するための目印として機能している。
【００６４】
そして、被記録媒体Ｐａと基準記録媒体Ｐｂとが上述の所定位置に載置されているときの縁部Ｅａと縁部ＥｂのホームポジションＨＰからの距離に基づいて、下記の式（１）に基づくことで、欠損幅Ｋ（エンコーダ８により測定されるパルス数の計数値である）を演算することができる（ステップＳ３０）。
2010023230.tif 000003
Ｙｎ：被記録媒体Ｐａの縁部ＥａのホームポジションＨＰからの測定距離
Ｘｎ：被記録媒体Ｐａと同一位置に載置された基準記録媒体Ｐｂの縁部ＥｂのホームポジションＨＰからの測定距離
Ｘｎ＋１：被記録媒体Ｐａが載置されている位置よりも１条だけ右方に載置された基準記録媒体Ｐｂの縁部ＥｂのホームポジションＨＰからの測定距離
Ｍ：基準記録媒体Ｐｂの縁部Ｅｂに位置するレンズ要素Ｌのレンズ幅であり、エンコーダ８により測定されるパルス数の計数値である。縁部Ｅｂにおけるレンズ要素Ｌに欠損がない場合には、レンズ幅は０とする。
【００６５】
なお、Ｘｎ＋１−Ｘｎは、凸条部３の一本の凸条の幅であり、レンズ要素Ｌの幅と同一である。レンズ要素Ｌの幅は既知であるので、これをＷ（エンコーダ８により測定されるパルス数の計数値）とし、下記の式（２）により欠損幅Ｋを演算してもよい。
2010023230.tif 000004
【００６６】
（記録位置の制御）
上述のようにして、欠損幅Ｋを求め、この欠損幅Ｋに基づき記録位置の補正を行う（ステップＳ４０）。被記録媒体Ｐａに記録を行う場合、仮に、欠損幅Ｋに基づく補正を行わないこととすると、縁部Ｅａに位置するレンズ要素Ｌに欠損がないことを前提に記録が行われる。つまり、縁部Ｅａから一定幅のレンズ要素Ｌが一定ピッチで配列されていることを前提にして、キャリッジ１１の縁部Ｅａからの距離に基づいて記録が行われる。そのため、縁部Ｅａに位置するレンズ要素Ｌに欠損がある場合には、レンチキュラーレンズＲＬの配列に合わせて記録を行うことができない。
【００６７】
そこで、縁部Ｅａに位置するレンズ要素Ｌに欠損がある場合には、記録位置の基準となる位置を縁部Ｅａに対して欠損幅Ｋだけ外側（右側）に補正した位置とする（ステップＳ４０）。そして、この補正された基準位置を基準にして記録を行うことで（ステップＳ５０）、記録画像をレンチキュラーレンズＲＬの配列に合わせたものとすることができる。
【００６８】
（変形例１）
基準記録媒体Ｐｂに対して記録を行う場合の記録位置の補正量が、基準記録媒体Ｐｂについての情報として予め判っている（既知である、記憶手段としてのＥＥＰＲＯＭ２５に記憶されている）場合であって、プリンタ１にこの基準記録媒体Ｐｂに対して記録を行う際の記録位置の補正量が予め設定されている場合には、被記録媒体Ｐａに記録を行う場合の記録位置の補正は次のように行うこともできる。
【００６９】
図８に示すように基準記録媒体Ｐｂについて予め判っている（既知である、記憶手段としてのＥＥＰＲＯＭ２５に記憶されている）記録位置の補正量をＴ（エンコーダ８により測定されるパルス数の計数値）とし、プリンタ１が被記録媒体Ｐａに対して記録を行う場合に、縁部Ｅａに対して補正量Ｔだけ左方に記録位置を補正するように構成しておく。この場合、被記録媒体Ｐａとして基準記録媒体Ｐに記録を行う場合には、記録位置をレンチキュラーレンズＲＬのレンズ配列等に対応させることができる。一方、基準記録媒体Ｐと異なる被記録媒体Ｐａについては、基準記録媒体Ｐについての補正量では記録位置をレンチキュラーレンズＲＬのレンズ配列等に対応させることができない。
【００７０】
ところで、図８に示すように、上述のようにして求めた被記録媒体Ｐａについてのレンズ要素Ｌの欠損幅Ｋから補正量Ｔを引いた差分Ｄを、被記録媒体Ｐａの縁部Ｅａの位置に加算した位置は、基準記録媒体Ｐの縁部Ｅｂの位置となる。したがって、被記録媒体Ｐａの縁部Ｅａの測定位置に、欠損幅Ｋと補正量Ｔとの差分を加算した位置を基準にして記録を行うことで、プリンタ１は、基準記録媒体Ｐと同一の記録位置の補正を行い、被記録媒体Ｐａに対してもレンチキュラーレンズＲＬのレンズ配列等に対応した位置に画像を記録することができる。
【００７１】
（変形例２）
また、次のようにして、被記録媒体Ｐａについての記録位置の補正を行うことができる。先ず、被記録媒体Ｐａが、基準記録媒体Ｐｂの載置位置（Ｑ０，Ｑ１，Ｑ２，Ｑ３のいずれか）と同一位置に載置されているときの、ホームポジションＨＰから被記録媒体Ｐａの縁部Ｅａまでの距離を測定する。この距離は、例えば、図５の測定距離Ｙ１、Ｙ２、Ｙ３、Ｙ４のいずれかとして測定される。そして、ＣＰＵ２４により構成されるレンズ幅差演算手段により、下記の式（３）に基づき、測定距離（Ｙ１、Ｙ２、Ｙ３、Ｙ４）から、被記録媒体Ｐａの載置位置に対応する基準記録媒体Ｐｂの測定距離を引いた差分Ｓを求める。
Ｓ＝Ｙｎ−Ｘｎ  …  （３）
【００７２】
この差分Ｓは、被記録媒体Ｐａの縁部Ｅａにおけるレンズ要素Ｌのレンズ幅と基準記録媒体Ｐｂの縁部Ｅｂにおけるレンズ要素Ｌのレンズ幅の差である。したがって、補正手段として構成されるＣＰＵ２４により、基準記録媒体Ｐｂについての予め判っている（記憶手段としてのＥＥＰＲＯＭ２５に記憶されている）情報としての補正量Ｔから差分Ｓを減算した値Ｆを求める。そして、ＣＰＵ２４が、被記録媒体Ｐａの縁部Ｅａの測定位置に補正量としての値Ｆを加算した位置を基準にして記録を行うように記録ヘッド６等を制御することで、被記録媒体Ｐａに対してレンチキュラーレンズＲＬのレンズ配列等に対応した位置に画像を記録することができる。なお、被記録媒体Ｐａの縁部Ｅａが、基準記録媒体Ｐｂの縁部ＥｂよりもホームポジションＨＰから離れる（遠い）位置に位置する場合には、差分Ｓは正値となる。この場合には、被記録媒体Ｐａについて補正量Ｆは、補正量Ｔよりも小さな値となる。逆に、被記録媒体Ｐａの縁部Ｅａが、基準記録媒体Ｐｂの縁部ＥｂよりもホームポジションＨＰに近い位置に位置する場合には、差分Ｓは負値となる。この場合には、被記録媒体Ｐａについて補正量Ｆは、補正量Ｔよりも大きな値となる。
【００７３】
つまり、被記録媒体Ｐａの縁部Ｅａの測定位置に、上述の補正量Ｆを加算した位置を基準にして記録を行うことで、プリンタ１は、基準記録媒体Ｐと同一の記録位置の補正を行い、被記録媒体Ｐａに対してもレンチキュラーレンズＲＬのレンズ配列等に対応した位置に画像を記録することができる。このようにすることで、基準記録媒体Ｐｂの縁部Ｅｂに位置するレンズ要素Ｌの幅がＭが予め判っていない場合であっても、被記録媒体Ｐａに対してレンチキュラーレンズＲＬのレンズ配列等に対応した位置に画像を記録することができる。
【００７４】
プリンタ１を上述のように構成することで、被記録媒体Ｐａの裁断精度がよくない場合であっても記録位置をレンズ要素Ｌの配列に対応させたものとすることができる。また、被記録媒体Ｐａの縁部を検出するだけでよいという構成のため、レンズ検出用の透過センサを備えることなく、反射型の紙検出センサで、レンズ要素Ｌの形状を把握できるので、プリンタ１を安価に構成でき、また、汎用性の高いものとすることができる。
【００７５】
ところで、エンコーダ８は、次のように構成することで、縁部Ｅａ，Ｅｂの検出精度を向上させることができる。例えば、リニアスケール１６の解像度が１８０ｄｐｉであり、記録ヘッド６の印字解像度が２８８０ｄｉｐであるときは、エンコーダ信号を１６（２８８０／１８０）逓倍し、検出精度を上げることで、検出位置の精度を高くすることができる。しかしながら、かかる逓倍は、回路装置によっては行えない場合がある。
【００７６】
この場合は、図９に示すように、エンコーダ８からのエンコーダ信号ＥＳの計数値ｅに間隔Ａ／間隔Ｂの値を加えた値を検出位置としてもよい。図９において、記録媒体検出信号Ｓは、記録媒体検出センサ１８からの出力信号を示し、記録媒体検出信号Ｓの位置Ｓ１は記録媒体Ｐの左端に対応し、位置Ｓ２は記録媒体Ｐの縁部Ｅａ，Ｅｂに対応する。間隔Ａは、エンコーダ信号ＥＳのポジティブエッジから記録媒体Ｐの縁部Ｅａ（Ｅｂ）までを基本クロック信号ＣＳにて計数したカウント値である。一方、間隔Ｂは、エンコーダ信号ＥＳのパルス信号の１周期を基本クロック信号ＣＳにて計数したカウント値である。このように、クロック信号ＣＳを用いることで縁部Ｅａ（Ｅｂ）の検出精度を高くすることができる。
【００７７】
なお、キャリッジ１１のホームポジションＨＰから縁部Ｅａ（Ｅｂ）までの移動距離の検出は、エンコーダ８により行う代わりに、ホームポジションＨＰから縁部Ｅａ（Ｅｂ）までの移動時間をクロック信号により計数するようにしてもよい。
【００７８】
なお、上述の実施の形態では、補正量の計算や補正の制御をプリンタ１側の制御部２１で行うように構成されているが、ホストコンピュータＨＣ側で行うようにしてもよい。この場合には、ホストコンピュータＨＣが欠損幅演算手段として機能することになる。
【図面の簡単な説明】
【００７９】
【図１】本発明の実施の形態に係るプリンタの構成を概略的に示す斜視図である。
【図２】図１に示すプリンタの電気的構成を概略的に示す回路ブロックである。
【図３】基準記録媒体をガイドトレイ上に載置した状態を示す図である。
【図４】基準記録媒体の縁部のホームポジションとの距離を表わす表１を示す図である。
【図５】被準記録媒体をガイドトレイ上に載置した状態を示す図である。
【図６】被記録媒体のレンズ要素Ｌの欠損幅の求め方を説明する図である。
【図７】プリンタの動作を示すフローチャートである。
【図８】記録位置の補正の仕方の他の例を説明する図である。
【図９】縁部の距離の測定の仕方の例を説明する図である。
【符号の説明】
【００８０】
１  ・・・  プリンタ（記録装置）  ，  ２  ・・・  ガイドトレイ（載置部）  ，  ３・・・  凸条部（位置決め手段）  ，  ８  ・・・  エンコーダ（距離情報取得手段）  ，  １８  ・・・  記録媒体検出センサ（距離情報取得手段）  ，  ２４  ・・・  ＣＰＵ（欠損幅演算手段）  ，  ２８  ・・・  所定範囲（目印）  ，  ＲＬ  ・・・  レンチキュラーレンズ  ，Ｌ  ・・・  レンズ要素  ，  Ｐ  ・・・  記録媒体  ，  Ｐａ  ・・・  被記録媒体  ，  Ｅａ  ・・・  縁部（基準縁部）  ，ＨＰ  ・・・  ホームポジション（基準位置）  ，  Ｐｂ  ・・・  基準記録媒体
【図１】
2010023230.tif 000005
【図２】
2010023230.tif 000006
【図３】
2010023230.tif 000007
【図４】
2010023230.tif 000008
【図５】
2010023230.tif 000009
【図６】
2010023230.tif 000010
【図７】
2010023230.tif 000011
【図８】
2010023230.tif 000012
【図９】
2010023230.tif 000013